(57)【要約】      （修正有）【課題】全体強度の安定性を高め、加工時の振動を低減し、加工の精度と効率を向上させると同時に表面粗さを低減するＣＮＣ旋盤複合加工機を提供する。【解決手段】本考案は、主にベースと、移動ユニット３０と、スピンドルユニット４０と、タレットユニット５０と、さらにスピンドル制限ユニット６０とタレット制限ユニット７０を備え、スピンドル制限ユニット６０とタレット制限ユニット７０を介して滑動範囲を制限すると同時に、スピンドルユニット４０とタレットユニット５０を支柱３２に固定することにより、全体強度の安定性を高め、加工時の振動を低減し、加工の精度と効率を向上させると同時に表面粗さを低減する。【選択図】図３
0003221049.tif 000002
【実用新案登録請求の範囲】
【請求項１】
工作物の切削と旋削とを行うためのＣＮＣ旋盤複合加工機であって、
ベースと、移動ユニットと、スピンドルユニットと、タレットユニットとを備え、
前記ベースは、前記工作物を挟持するための挟持方向と、前記挟持方向に対して垂直となる変位方向と、前記挟持方向と前記変位方向に対して垂直となる切削方向とを含み、
前記移動ユニットは、前記挟持方向に沿って前記ベース上に往復変位可能に配設された移動モジュールと、前記移動方向に沿って且つ前記工作物に向かって前記移動モジュールに往復変位可能に立設された支柱とを含み、前記支柱は、第１変位部と第２変位部とを有し、
前記スピンドルユニットは、前記切削方向に沿って且つ前記工作物に向かって前記第１変位部に往復変位可能に配設された切削工具モジュールを含み、
前記タレットユニットは、前記切削方向に沿って且つ前記工作物に向かって前記第２変位部に往復変位可能に配設された旋削工具モジュールを含むことを特徴とする、
ＣＮＣ旋盤複合加工機。
【請求項２】
前記ＣＮＣ旋盤複合加工機はスピンドル制限ユニットをさらに備え、前記スピンドル制限ユニットは前記第１変位部に配設され、前記第１変位部の一端に配設された第１スピンドル制限部と、前記第１変位部の他端に配設された第２スピンドル制限部と、前記第１スピンドル制限部と前記第２スピンドル制限部とを連結するリミットロッドとを有し、前記スピンドルユニットは前記第１スピンドル制限部と前記第２スピンドル制限部との間に配設されていることを特徴とする請求項１に記載のＣＮＣ旋盤複合加工機。
【請求項３】
前記ＣＮＣ旋盤複合加工機はタレット制限ユニットをさらに備え、前記タレット制限ユニットは前記第２変位部に配設され、前記第２変位部の一端に配設された第１タレット制限部と、前記第２変位部の他端に配設された第２タレット制限部と、前記第１タレット制限部と前記第２タレット制限部とを連結するリミットロッドとを有し、前記タレットユニットは前記第１タレット制限部と前記第２タレット制限部との間に配設されていることを特徴とする請求項１に記載のＣＮＣ旋盤複合加工機。
【請求項４】
前記ＣＮＣ旋盤複合加工機は挟持ユニットをさらに備え、前記挟持ユニットは前記移動ユニットからある距離を置いて前記ベース上に配設され、前記工作物を係止することができる心押し台モジュールを有することを特徴とする請求項１に記載のＣＮＣ旋盤複合加工機。
【考案の詳細な説明】
【技術分野】
【０００１】
本考案は複合加工機に関し、特にＣＮＣ旋盤複合加工機に関する。
【背景技術】
【０００２】
図１は公知のＣＮＣ旋盤複合機の一例を示す図である。一般的な旋盤とフライス盤の組合せは、様々な工場で多用されてきた。しかしながら、前記構成の旋盤の刃物ホルダ１は複合ベース２に接続されているので、旋盤の旋削工具３でワークを加工する際には、刃物ホルダ１が複合ベース２から遠く離れているため、振動や剛性不足により２つの部材の取付け箇所が破損し、ひび割れが発生する可能性がある。また、刃物ホルダ１や複合ベース２が破損すると、角度の変化、送り量の不具合及び剛性の減少等の要因が発生しやすくなり、ワークの加工寸法誤差を引き起こし、精度や加工面粗さが不良になり、加工効率が悪くなるという欠点があった。
【考案の概要】
【考案が解決しようとする課題】
【０００３】
本考案の課題は、主に全体強度の安定性を高め、加工時の振動を低減し、加工の精度と効率を向上させると同時に表面粗さを低減するＣＮＣ旋盤複合加工機を提供することにある。
【課題を解決するための手段】
【０００４】
上記課題を解決するための本考案は工作物の切削と旋削とを行うためのＣＮＣ旋盤複合加工機であってベースと、移動ユニットと、スピンドルユニットと、タレットユニットとを備え、前記ベースは、前記工作物を挟持するための挟持方向と、前記挟持方向に対して垂直となる変位方向と、前記挟持方向と前記変位方向に対して垂直となる切削方向とを含み、前記移動ユニットは、前記挟持方向に沿って前記ベース上に往復変位可能に配設された移動モジュールと、前記移動方向に沿って且つ前記工作物に向かって前記移動モジュールに往復変位可能に立設された支柱と、を含み、前記支柱は、第１変位部と第２変位部とを有し、前記スピンドルユニットは、前記切削方向に沿って且つ前記工作物に向かって前記第１変位部に往復変位可能に配設された切削工具モジュールを含み、前記タレットユニットは、前記切削方向に沿って且つ前記工作物に向かって前記第２変位部に往復変位可能に配設された旋削工具モジュールを含むことを特徴とする。
【０００５】
好ましくは、スピンドル制限ユニットをさらに備え、前記スピンドル制限ユニットは前記第１変位部に配設され、しかも前記第１変位部の一端に配設された第１スピンドル制限部と、前記第１変位部の他端に配設された第２スピンドル制限部と、前記第１スピンドル制限部と前記第２スピンドル制限部とを連結するリミットロッドとを有し、前記スピンドルユニットは前記第１スピンドル制限部と前記第２スピンドル制限部との間に配設されている。
【０００６】
好ましくは、タレット制限ユニットをさらに備え、前記タレット制限ユニットは前記第２変位部に配設され、しかも前記第２変位部の一端に配設された第１タレット制限部と、前記第２変位部の他端に配設された第２タレット制限部と、前記第１タレット制限部と前記第２タレット制限部とを連結するリミットロッドとを有し、前記タレットユニットは前記第１タレット制限部と前記第２タレット制限部との間に配設されている。
【０００７】
好ましくは、挟持ユニットをさらに備え、前記挟持ユニットは前記移動ユニットからある距離を置いて前記ベース上に配設され、しかも前記工作物を係止することができる心押し台モジュールを有する。
【考案の効果】
【０００８】
本考案は、主に前記スピンドル制限ユニットと前記タレット制限ユニットを介して滑動範囲を制限すると同時に、前記スピンドルユニットと前記タレットユニットを支柱に固定することにより、安定した全体強度を付与し、加工時の振動を低減し、加工精度や加工効率を向上させると同時に表面粗さを低減することができるという効果を奏する。
【図面の簡単な説明】
【０００９】
【図１】公知のＣＮＣ旋盤複合加工機を示す全体斜視図である。
【図２】本考案の実施形態の全体斜視図である。
【図３】本考案の実施形態の局部斜視図である。
【図４】図３の実施形態の分解斜視図である。
【図５】本考案の実施形態の概略説明図である。
【図６】本考案の実施形態の概略説明図である。
【図７】本考案の実施形態の概略説明図である。
【考案を実施するための形態】
【００１０】
以下、図面を参照しつつ、本考案に係るＣＮＣ旋盤複合加工機について具体的に説明する。
【００１１】
本考案のＣＮＣ旋盤複合加工機は、図２乃至図７に示すように、工作物Ａのフライス削り（又は切削）と旋削に適しており、ベース２０と、移動ユニット３０と、スピンドルユニット４０と、タレットユニット５０とを備える。
【００１２】
前記ベース２０では、前記工作物Ａを挟持するための挟持方向Ｚと、前記挟持方向Ｚに対して垂直となる変位方向Ｘと、前記挟持方向Ｚと前記変位方向Ｘに対して垂直となる切削（又はフライス削り）方向Ｙとが定義されている。
【００１３】
前記移動ユニット３０は、前記挟持方向Ｚに沿って前記ベース２０上に往復変位可能に配設された移動モジュール３１と、前記移動方向Ｘに沿って且つ前記工作物Ａに向かって前記移動モジュール３１に往復変位可能に立設された支柱３２とを含み、前記支柱３２は、第１変位部３２１と第２変位部３２２とを有する。
【００１４】
前記スピンドルユニット４０は、前記切削方向Ｙに沿って且つ前記工作物Ａに向かって前記第１変位部３２１に往復変位可能に配設された切削工具モジュール４１を含む。
【００１５】
前記タレットユニット５０は、前記切削方向Ｙに沿って且つ前記工作物に向かって前記第２変位部３２２に往復変位可能に配設された旋削工具モジュール５１を含む。
【００１６】
好ましくは、前記ＣＮＣ旋盤複合加工機はスピンドル制限ユニット６０とタレット制限ユニット７０をさらに備える。前記スピンドル制限ユニット６０は前記第１変位部３２１に配設され、しかも前記第１変位部３２１の一端に配設された第１スピンドル制限部６１と、前記第１変位部３２１の他端に配設された第２スピンドル制限部６２と、前記第１スピンドル制限部６１と前記第２スピンドル制限部６２とを連結するリミットロッド６３とを有する。
前記スピンドルユニット４０は前記第１スピンドル制限部６１と前記第２スピンドル制限部６２との間に配設されている。また、前記タレット制限ユニット７０は前記第２変位部３２２に配設され、しかも前記第２変位部３２２の一端に配設された第１タレット制限部７１と、前記第２変位部３２２の他端に配設された第２タレット制限部７２と、前記第１タレット制限部７１と前記第２タレット制限部７２とを連結するリミットロッド７３とを有し、前記タレットユニット５０は前記第１タレット制限部７１と前記第２タレット制限部７２との間に配設されている。
これにより、前記スピンドルユニット４０と前記タレットユニット５０の滑動範囲が制限され、前記支柱３２は、前記スピンドルユニット４０と前記タレットユニット５０に固設された取付け箇所をより安定して固定し、滑動時の取付け箇所の支持力が不足となることはない。
【００１７】
好ましくは、挟持ユニット８０をさらに備え、前記挟持ユニット８０は前記移動ユニット３０からある距離を置いて前記ベース２０上に配設され、しかも前記工作物Ａを係止することができる心押し台モジュール８１を有する。
【００１８】
好ましくは、レール群９０をさらに含み、前記レール群９０は２つのレール９１と複数のスライダ９２とを含む。前記２つのレール９１は前記挟持方向Ｚに沿って且つ平行となるように前記ベース２０に固設され、前記スライダ９２は前記２つのレール９１に移動可能に配設され、しかも前記移動モジュール３１を固設するのに供する。
【００１９】
以上を総合すると、本考案は、前記スピンドル制限ユニット６０と前記タレット制限ユニット７０を介して滑動範囲を制限すると同時に、前記スピンドルユニット４０と前記タレットユニット５０を支柱３２に固定することにより、
安定した全体強度を付与し、加工時の振動を低減し、加工精度や加工効率を向上させると同時に表面粗さを低減する。
【符号の説明】
【００２０】
１  刃物ホルダ
２  複合ベース
３  旋削工具
Ａ  工作物
Ｘ  変位方向
Ｙ  切削方向
Ｚ  挟持方向
２０  ベース
３０  移動ユニット
３１  移動モジュール
３２  支柱
３２１  第１変位部
３２２  第２変位部
４０  スピンドルユニット
４１  切削工具モジュール
５０  タレットユニット
５１  旋削工具モジュール
６０  スピンドル制限ユニット
６１  第１スピンドル制限部
６２  第２スピンドル制限部
６３  リミットロッド
７０  タレット制限ユニット
７１  第１タレット制限部
７２  第２タレット制限部
７３  リミットロッド
８０  挟持ユニット
８１  心押し台モジュール
９０  挟持方向レール群
９１  挟持レール
９２  挟持スライダ
【図１】
0003221049.tif 000003
【図２】
0003221049.tif 000004
【図３】
0003221049.tif 000005
【図４】
0003221049.tif 000006
【図５】
0003221049.tif 000007
【図６】
0003221049.tif 000008
【図７】
0003221049.tif 000009
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
工作物の切削と旋削とを行うためのＣＮＣ旋盤複合加工機であって、
ベースと、移動ユニットと、スピンドルユニットと、タレットユニットとを備え、
前記ベースは、前記工作物を挟持するための挟持方向と、前記挟持方向に対して垂直となる変位方向と、前記挟持方向と前記変位方向に対して垂直となる切削方向とを含み、
前記移動ユニットは、前記挟持方向に沿って前記ベース上に往復変位可能に配設された移動モジュールと、前記変位方向に沿って且つ前記工作物に向かって前記移動モジュールに往復変位可能に立設された支柱とを含み、前記支柱は、第１変位部と第２変位部とを有し、
前記スピンドルユニットは、前記切削方向に沿って且つ前記工作物に向かって前記第１変位部に往復変位可能に配設された切削工具モジュールを含み、
前記タレットユニットは、前記切削方向に沿って且つ前記工作物に向かって前記第２変位部に往復変位可能に配設された旋削工具モジュールを含むことを特徴とする、
ＣＮＣ旋盤複合加工機。
【請求項２】
前記ＣＮＣ旋盤複合加工機はスピンドル制限ユニットをさらに備え、前記スピンドル制限ユニットは前記第１変位部に配設され、前記第１変位部の一端に配設された第１スピンドル制限部と、前記第１変位部の他端に配設された第２スピンドル制限部と、前記第１スピンドル制限部と前記第２スピンドル制限部とを連結するリミットロッドとを有し、前記スピンドルユニットは前記第１スピンドル制限部と前記第２スピンドル制限部との間に配設されていることを特徴とする請求項１に記載のＣＮＣ旋盤複合加工機。
【請求項３】
前記ＣＮＣ旋盤複合加工機はタレット制限ユニットをさらに備え、前記タレット制限ユニットは前記第２変位部に配設され、前記第２変位部の一端に配設された第１タレット制限部と、前記第２変位部の他端に配設された第２タレット制限部と、前記第１タレット制限部と前記第２タレット制限部とを連結するリミットロッドとを有し、前記タレットユニットは前記第１タレット制限部と前記第２タレット制限部との間に配設されていることを特徴とする請求項１に記載のＣＮＣ旋盤複合加工機。
【請求項４】
前記ＣＮＣ旋盤複合加工機は挟持ユニットをさらに備え、前記挟持ユニットは前記移動ユニットからある距離を置いて前記ベース上に配設され、前記工作物を係止することができる心押し台モジュールを有することを特徴とする請求項１に記載のＣＮＣ旋盤複合加工機。
【手続補正２】
【補正対象書類名】明細書
【補正対象項目名】００１３
【補正方法】変更
【補正の内容】
【００１３】
前記移動ユニット３０は、前記挟持方向Ｚに沿って前記ベース２０上に往復変位可能に配設された移動モジュール３１と、前記変位方向Ｘに沿って且つ前記工作物Ａに向かって前記移動モジュール３１に往復変位可能に立設された支柱３２とを含み、前記支柱３２は、第１変位部３２１と第２変位部３２２とを有する。